(57)【要約】      （修正有）【課題】無線ＩＣタグを使用して救急医療セット内の医薬品などの救急携行品を目視することなく、必要な管理項目を容易に確認できるようにして管理するようにした救急携行品管理システムを提供する。【解決手段】救急携行品Ｐを収容する携行ケース３と、その携行ケース３に収容された救急携行品Ｐに直接または包装材４を介して装着され、その装着された救急携行品Ｐに対する固有のＩＤ情報が記憶された無線ＩＣタグ２と、その無線ＩＣタグ２が装着された救急携行品Ｐが内部に収容された携行ケース３に対して無線通信により電波を投じ、その携行ケース３ごと内部の救急携行品Ｐに装着された無線ＩＣタグ２のＩＤ情報を無線通信により携行ケース３を透過して読み取るＩＣタグリーダー５と、救急携行品Ｐに対する管理情報を記憶する管理情報記憶装置と、ＩＣタグリーダー５によって読み取られたＩＤ情報と管理情報とを比較し、救急携行品Ｐの携行の適否を判定する判定手段と、その判定の結果を出力する出力手段と、を含むことを特徴とする。【選択図】図１
0003142745.tif 000002
【実用新案登録請求の範囲】
【請求項１】
医薬、医療器具などの救急携行品を収容して携行するための携行ケースと、
その携行ケースに収容された前記救急携行品に直接または包装材を介して装着され、その装着された救急携行品に対する固有のＩＤ情報が記憶された無線ＩＣタグと、
その無線ＩＣタグが装着された前記救急携行品が内部に収容された前記携行ケースに対して無線通信により電波を投じ、その携行ケースごと内部の前記救急携行品に装着された前記無線ＩＣタグのＩＤ情報を無線通信により前記携行ケースを透過して読み取るＩＣタグリーダーと、
前記救急携行品に対する管理基準を定めた管理情報を記憶する管理情報記憶装置と、
前記ＩＣタグリーダーによって読み取られた前記無線ＩＣタグのＩＤ情報と前記管理情報とを比較し、前記携行ケース中に収納されている前記ＩＤ情報に対応する前記救急携行品の携行の適否を判定する判定手段と、
その判定の結果を出力する出力手段と、
を含むことを特徴とする救急携行品管理システム。
【請求項２】
医薬、医療器具などの救急携行品を収容して携行するための携行ケースと、
その携行ケースに収容された前記救急携行品に直接または包装材を介して装着され、その装着された救急携行品に対する固有のＩＤ情報が記憶された無線ＩＣタグと、
その無線ＩＣタグが装着された前記救急携行品が内部に収容された前記携行ケースに対して無線通信により電波を投じ、その携行ケースごと内部の前記救急携行品に装着された前記無線ＩＣタグのＩＤ情報を無線通信により前記携行ケースを透過して読み取るＩＣタグリーダーと、
前記無線ＩＣタグのＩＤ情報と対応付けて前記救急携行品に関する特定情報を記憶する特定情報記憶装置と、
前記救急携行品に対する管理基準を定めた管理情報を記憶する管理情報記憶装置と、
前記無線ＩＣタグリーダーによって読み取られた前記無線ＩＣタグのＩＤ情報に基づいて、前記特定情報記憶装置からそのＩＤ情報と対応付けられた前記救急携行品の特定情報を読み出し、その読み出した特定情報を前記管理情報記憶装置に記憶されている管理情報と比較し、前記携行ケース中に収納されているそのＩＤ情報に対応する前記救急携行品の携行の適否を判定する判定手段と、
その判定の結果を出力する出力手段と、
を含むことを特徴とする救急携行品管理システム。
【請求項３】
前記携行ケース内に収納される複数の救急携行品が２以上集合して１つの包装材に収納されて１パックとされ、そのように作成された複数のパックの救急携行品が前記携行ケース内に収納され、それら複数のパックの１パックごとに１個の前記無線ＩＣタグが装着され、前記特定情報記憶装置では、１個の無線ＩＣタグの前記ＩＤ情報を共用してそのＩＤ情報に対し複数の救急携行品の特定情報が対応付けて記憶され、前記判定手段は、そのＩＤ情報に対応する複数の救急携行品の特定情報を読み出し、これを前記管理情報記憶装置に記憶されている管理情報と比較することによって、前記救急携行品の１パックごとに携行の適否を判定する請求項２に記載の救急携行品管理システム。
【請求項４】
前記無線ＩＣタグは、前記パックや前記救急携行品が開封されると破損されることを特徴とする請求項１ないし３のいずれか１項に記載の救急携行品管理システム。
【考案の詳細な説明】
【技術分野】
【０００１】
本考案は、災害、緊急時などに持ち出す医薬品などの救急携行品管理システムに関する。
【背景技術】
【０００２】
医薬品や医薬部外品などを収容し、現場での救急医療処置に用いられる非常持ち出し用の救急医療セットが知られている（特許文献１参照）。
【０００３】
【特許文献１】特開平９−２５３１３３号公報
【考案の開示】
【考案が解決しようとする課題】
【０００４】
特に、災害時などの救急医療処置に使用するものでは、その中に収納する医薬品は、その種類が多く、医薬品の種類、量、使用期限や製造ロットの管理は、その収納品のリストにしたがって、医薬品ごとに、作業者が目視作業しなければならず、手間を必要とされてきた。
【０００５】
本考案の課題は、無線ＩＣタグを使用して救急医療セット内の医薬品などの救急携行品を目視することなく、必要な管理項目を容易に確認できるようにして管理するようにした救急携行品管理システムを提供することにある。
【課題を解決するための手段及び考案の効果】
【０００６】
上記課題を解決するために、本考案の救急携行品管理システムは、医薬、医療器具などの救急携行品を収容して携行するための携行ケースと、その携行ケースに収容された前記救急携行品に直接または包装材を介して装着され、その装着された救急携行品に対する固有のＩＤ情報が記憶された無線ＩＣタグと、その無線ＩＣタグが装着された前記救急携行品が内部に収容された前記携行ケースに対して無線通信により電波を投じ、その携行ケースごと内部の前記救急携行品に装着された前記無線ＩＣタグのＩＤ情報を無線通信により前記携行ケースを透過して読み取るＩＣタグリーダーと、前記救急携行品に対する管理基準を定めた管理情報を記憶する管理情報記憶装置と、前記ＩＣタグリーダーによって読み取られた前記無線ＩＣタグのＩＤ情報と前記管理情報とを比較し、前記携行ケース中に収納されている前記ＩＤ情報に対応する前記救急携行品の携行の適否を判定する判定手段と、その判定の結果を出力する出力手段と、を含むことを特徴とする。
【０００７】
上記構成とすることにより、携行ケース内における医薬品や医療器具などの救急携行品の携行の適否は、その救急携行品の管理情報としての数量（錠数、容量、重さなど）、使用期限、包装変更、採用除外と、無線ＩＣタグのＩＤ情報とを判定手段によって比較判定しているため、出力手段（例えばＩＣタグリーダー）によって確認できる。この確認作業はＩＣタグリーダーと無線ＩＣタグとの無線通信で実施できるため、救急携行品を作業者が目視することなく、かつ携行ケースを開封する手間が省ける。また、救急携行品の使用済み、期限切れ、採用除外、または包装変更などが確認できるため、必要最低限の作業時間で、救急携行品の交換作業が行え効率的である救急携行品管理システムを提供できる。
【０００８】
上記課題を解決するために、本考案の救急携行品管理システムは、医薬、医療器具などの救急携行品を収容して携行するための携行ケースと、その携行ケースに収容された前記救急携行品に直接または包装材を介して装着され、その装着された救急携行品に対する固有のＩＤ情報が記憶された無線ＩＣタグと、その無線ＩＣタグが装着された前記救急携行品が内部に収容された前記携行ケースに対して無線通信により電波を投じ、その携行ケースごと内部の前記救急携行品に装着された前記無線ＩＣタグのＩＤ情報を無線通信により前記携行ケースを透過して読み取るＩＣタグリーダーと、前記無線ＩＣタグのＩＤ情報と対応付けて前記救急携行品に関する特定情報を記憶する特定情報記憶装置と、前記救急携行品に対する管理基準を定めた管理情報を記憶する管理情報記憶装置と、前記無線ＩＣタグリーダーによって読み取られた前記無線ＩＣタグのＩＤ情報に基づいて、前記特定情報記憶装置からそのＩＤ情報と対応付けられた前記救急携行品の特定情報を読み出し、その読み出した特定情報を前記管理情報記憶装置に記憶されている管理情報と比較し、前記携行ケース中に収納されているそのＩＤ情報に対応する前記救急携行品の携行の適否を判定する判定手段と、その判定の結果を出力する出力手段と、を含むことを特徴とする。
【０００９】
上記構成とすることにより、携行ケース内における救急携行品の携行の適否は、その救急携行品の管理情報としての数量（錠数、容量、重さなど）、使用期限、包装変更、採用除外と、無線ＩＣタグのＩＤ情報と対応付けた救急携行品に関する特定情報としての品名、数量、使用期限、製造ロット番号とを判定手段によって比較判定しているため、出力手段（例えばＩＣタグリーダー）によって確認できる。この確認作業はＩＣタグリーダーと無線ＩＣタグとの無線通信で実施できるため、携行ケースを開封する手間が省け、救急携行品を作業者が目視することなく、救急携行品の使用済み、期限切れ、採用除外、または包装変更などが確認できるため、必要最低限の作業時間で、救急携行品の交換作業が行え効率的である救急携行品管理システムを提供できる。
【００１０】
上記課題を解決するために、本考案の救急携行品管理システムは、前記携行ケース内に収納される複数の救急携行品が２以上集合して１つの包装材に収納されて１パックとされ、そのように作成された複数のパックの救急携行品が前記携行ケース内に収納され、それら複数のパックの１パックごとに１個の前記無線ＩＣタグが装着され、前記特定情報記憶装置では、１個の無線ＩＣタグの前記ＩＤ情報を共用してそのＩＤ情報に対し複数の救急携行品の特定情報が対応付けて記憶され、前記判定手段は、そのＩＤ情報に対応する複数の救急携行品の特定情報を読み出し、これを前記管理情報記憶装置に記憶されている管理情報と比較することによって、前記救急携行品の1パックごとに携行の適否を判定することを特徴とすることにより、救急携行品をグループ単位で管理することができ、無線ＩＣタグの使用数や、特定情報、管理情報を更新維持するためのメンテナンス作業を減らすことができ、コスト低減を図ることができる。なお、無線ＩＣタグは、携行ケース内に収納される複数の救急携行品の各々に対して、個別に装着することも可能であり、この場合には全ての救急携行品を管理できるため、きめ細かな管理が可能となる。
【００１１】
上記課題を解決するために、本考案の救急携行品管理システムは、前記無線ＩＣタグを、パックや救急携行品が開封されると破損されることを特徴とすることにより、無線ＩＣタグが破損することによって、通信機能がなくなり、ＩＣタグリーダーが当該無線ＩＣタグの損傷を判断し、「使用済み」を表示させるとともに、警報音を発するようにすることもできる。この結果、必要最低限の作業時間で、救急携行品の交換作業が行え効率的であり、しかも、無線ＩＣタグは破損状態であるため、パックや救急携行品が確認しやすい、救急携行品管理システムを提供できる。
【考案を実施するための最良の形態】
【００１２】
以下、本考案の実施の形態につき図面を参照して説明する。図１は救急携行品管理システムの概念図である。図１に示すように、救急携行品管理システム１は、複数の無線ＩＣタグ２を使用して救急医療セットＷとしての携行ケース３内に収納する医薬品、医療用具としての複数の救急携行品Ｐを識別し、この救急携行品Ｐを管理するようにしたシステムである。なお、図１の携行ケース３は開けられた状態であるも、保管時には当然ながら閉められた状態である。
【００１３】
無線ＩＣタグ２は、図２に示すように、ＩＣチップ２ａとそれに接続したコイル状のアンテナ２ｂから構成される。ＩＣチップ２ａは記憶部２ａ１、電源整流部２ａ２、送信部２ａ３、受信部２ａ４を備え、それぞれが働きを分担して非接触の状態で無線通信によって記憶部２ａ１に対して、各種の情報を記憶（読み出し、書き込み）することができる。この記憶部２ａ１には、無線ＩＣタグ２の固有のＩＤ情報が格納される。なお、無線ＩＣタグ２の種類によっては、救急携行品Ｐの特定情報としての品名、数量、使用期限、製造ロット番号などの各種情報を格納することも可能である。
【００１４】
図１に戻り、携行ケース３は電波の通過を許容するプラスチック製からなり、包装材４を複数収納している。包装材４には、複数の救急携行品Ｐが２以上集合して収納され、１パックとされている。この複数の救急携行品Ｐは、例えばその種類に応じて分類され、その分類ごとの分類グループにまとめられた救急携行品Ｐを収納している。また、携行ケース３は袋状や箱状に形成している。
【００１５】
この包装材４はビニール袋からなり、救急携行品Ｐを収納した状態で封緘されている。この封緘には、図３に示すように、ＩＣチップ２ａとアンテナ２ｂとが紙製の基材２ｃに挟まれたラベル形状に形成される無線ＩＣタグ２が使用される。この無線ＩＣタグ２の一方の基材２ｃには、粘着のりが塗工されており、かかる無線ＩＣタグ２によって包装材４の封を閉じるように貼り付けるようにして使用することができる。このように封緘された包装材４は、中身の救急携行品Ｐを取り出すときに開封すると、無線ＩＣタグ２が破損することによって、無線ＩＣタグ２としての機能をなくすこととなる。
【００１６】
図１に示すＩＣタグリーダー５は、無線ＩＣタグ２に記憶されている識別情報としての固有のＩＤ情報を少なくとも読み取りする機能を備えている。ＩＣタグリーダー５は、その形状の違いからデスクトップタイプ、ハンディタイプ、ＣＦカードスロットタイプ、機器組み込みタイプ、ゲートタイプなどが挙げられ、本例では、汎用ＰＤＡ（携帯情報端末）の使用例で説明する。なお、無線ＩＣタグ２の種類によって、救急携行品Ｐの特定情報の書き込みや、無線ＩＣタグ２に書き込まれた救急携行品Ｐの特定情報の読み取りを実行することができる。
【００１７】
ＩＣタグリーダー５は、図４に示すように、ＣＰＵ５ａを核に、テーブルメモリ５ｂ、メモリ５ｃ、無線通信制御部５ｄ、リードライト制御部５ｅ、画面制御部５ｆ、上位装置インタフェース部５ｇ、そして、入出力部５ｈから構成されている。テーブルメモリ５ｂは特定情報および管理情報記憶装置であり、データベースとして機能し、無線ＩＣタグ２に書き込まれた固有のＩＤと、救急携行品Ｐの品名、数量、使用期限、製造ロット番号などの特定情報や、救急携行品Ｐの管理基準を定めた使用期限、採用除外、包装変更などの最新の管理情報とが格納されている。
【００１８】
ＩＣタグリーダー５は、無線送受信を行う無線通信制御部５ｄによって無線ＩＣタグ２と通信を行ない、この無線ＩＣタグ２に記憶されているＩＤ情報を読み取り、このＩＤ情報と、管理情報、特定情報とを比較判定する。
【００１９】
具体的には、ＣＰＵ５ａによって、テーブルメモリ５ｂの無線ＩＣタグ２のＩＤ情報と、当該ＩＤ情報と関連付けされている管理基準を定めた管理情報とを比較して、救急携行品Ｐの携行の適否を判定する機能を備えている。この判定の例としては、救急携行品Ｐの開封使用済み、期限切れ、採用除外、又は包装変更などが挙げられる。また、この適否は、開封使用済み、期限切れ、採用除外、又は包装変更などのメッセージとして、液晶パネルなどの表示手段５ｊに表示するようにしたり、警報を発するスピーカなどの警報音発生手段５ｋを制御するようにしている。
【００２０】
また、分類グループにまとめられた複数の救急携行品Ｐを収納する包装材４が収納された携行ケース３からなる救急医療セットＷを保管し、その保管状態から所定期間経過後に、ＩＣタグリーダー５によって救急医療セットＷ内の各包装材４に対応した無線ＩＣタグ２のＩＤ情報を読み取りする。この結果、ＩＣタグリーダー５における最新の管理情報のうち、例えば使用期限に対して、無線ＩＣタグが装着される包装材４内の救急携行品Ｐの使用期限が近づいていると判断される場合には、「使用期限間近」と表示手段５ｊに表示させたり、また、使用期限を越えたと判断される場合には、「期限切れ」と表示手段５ｊに表示させることができる。また、この表示の際には、警報音発生手段５ｋを作動させ、同時に警報音を発することができる。
【００２１】
また、同様に無線ＩＣタグ２が損傷している場合の「使用済み」、携行品Ｐが使用できなくなった場合の「採用除外」、携行品Ｐの包装が変更になった場合の「包装変更」を表示手段５ｊに表示させることができる。
【００２２】
また、ＩＣタグリーダー５の表示手段５ｊにおける表示例として図５に示すように、無線ＩＣタグ２の固有のＩＤ情報表示区域Ａ１と、直近使用期限表示区域Ａ２と、前回確認日表示区域Ａ３、メーセージ表示区域Ａ４と、救急携行品Ｐの品名、数量、使用期限、製造ロット番号、適用除外、包装変更などを表形式で表した内容表示区域Ａ５とを備えている。なお、メーセージ表示区域Ａ４での表示優先順位としては、「期限切れ」、「採用除外」、「包装変更」の順で表示させている。
【００２３】
また、ＩＣタグリーダー５の各種情報は、管理用コンピュータ等の上位装置６から上位装置インタフェース部５ｇを介して取り込みしている。この上位装置６である管理用コンピュータの構成は周知であるため詳しい説明は省略するが、制御や演算で使うプログラムやデータを収納する主記憶装置、主記憶装置に収納されているプログラムの指示に従って他の機能を制御するための制御装置、データの処理に関する様々な演算を行う演算装置、入出力装置を備えている。
【００２４】
本考案の救急携行品管理システムの流れとしては、図６に示すように、携行ケース３内に収納する包装材４を準備する。この包装材４内には、図６（ａ）に示すように、例えば分類グループごとに分類された複数の救急携行品Ｐを収納する。
【００２５】
つぎに、図６（ｂ）に示すように、無線ＩＣタグ２のＩＤ情報がＩＣタグリーダー５によって読み取られ、包装材４内の複数の救急携行品Ｐの特定情報とを対応付けするように記憶される。このＩＣタグリーダー５における記憶されている特定情報は、上位機種６によって救急携行品Ｐごとの特定情報に対応してデータベース化が実行された情報が使用される。このデータベース化が行なわれた情報は常に最新の情報に維持するためにオペレータによって定期的にメンテナンスしている。
【００２６】
つぎに、図６（ｃ）に示すように、この包装材４を無線ＩＣタグ２で封緘する。このように準備された包装材４は、図６（ｄ）に示すように、携行ケース３内に複数収納され、救急医療セットＷが準備される。そして、この救急医療セットＷは、災害時などの救急医療処置が必要とされるまで保管される。
【００２７】
この保管される救急医療セットＷは、所定期間経過後に、図６（ｅ）に示すように、その内容物である救急携行品Ｐの管理情報を確認する。この確認時に使用するＩＣタグリーダー５には、確認時点で最新の特定情報および管理情報が上位機種６のデータベースから転送されて格納されている。
【００２８】
そして、ＩＣタグリーダー５に救急医療セットＷ内の無線ＩＣタグ２におけるＩＤ情報が読み込まれる。一例としてＩＣタグリーダー５に格納される管理情報の使用期限に対して、無線ＩＣタグ２のＩＤ番号に対応した救急携行品Ｐの使用期限が近づいていると判断される場合には、「使用期限間近」と表示手段５ｊに表示させる。また、この表示の際には、警報音発生手段５ｋを作動させ、同時に警報音を発する。
【００２９】
また、保管される救急医療セットＷが所定期間経過後の確認時までの間に使用された場合、包装材４が開封されることにより、無線ＩＣタグ２が破損する。このことによって無線ＩＣタグ２として機能しなくなり、ＩＣタグリーダー５との通信が不可となることによって、ＩＣタグリーダー５は無線ＩＣタグ２が損傷していると判断し、「使用済み」と表示手段５ｊに表示させる。また、この表示の際には、警報音発生手段５ｋを作動させ、同時に警報音を発する。
【００３０】
また、上述の実施の形態では、分類グループにまとめられた複数の救急携行品Ｐを収納する包装材４を無線ＩＣタグ２で封緘しているも、他に複数の救急携行品Ｐを個別に、無線ＩＣタグ２で封緘することも可能である。この例による他の構成について、上述の他の実施の形態における構成と同様であるため、その詳細な説明は省略する。
【図面の簡単な説明】
【００３１】
【図１】本考案に係る救急携行品管理システムの概要図。
【図２】無線ＩＣタグの説明図。
【図３】無線ＩＣタグの断面図。
【図４】ＩＣタグリーダーのブロック図。
【図５】ＩＣタグリーダーの平面図。
【図６】救急携行品管理システムの工程図。
【符号の説明】
【００３２】
１          救急携行品管理システム
２          無線ＩＣタグ
３          携行ケース
４          包装材
５          ＩＣタグリーダー
５ｊ        表示手段
５ｋ        警報音発生手段
Ｗ          救急医療セット
【図１】
0003142745.tif 000003
【図２】
0003142745.tif 000004
【図３】
0003142745.tif 000005
【図４】
0003142745.tif 000006
【図５】
0003142745.tif 000007
【図６】
0003142745.tif 000008